(57)【特許請求の範囲】
【請求項１】
電線を接続したとき該電線の先端部が外周方向に露出する構成の端子部を後部に有し、且つ前部にボス部が形成されたコンセント本体と、
前記コンセント本体の少なくともボス部を被覆する絶縁性のカバー部材とを備え、取付枠に複数個並べて装着可能な情報用コンセントであって、
前記カバー部材は、前部に、前記コンセント本体のボス部を被覆するハウジング部が形成され、このハウジング部の後端縁から後方に延出して前記端子部の外周を覆う隔壁が一体形成されており、
且つ、前記カバー部材の隔壁は、取付枠に隣接して取り付けられる他のコンセント本体の端子部と、当該カバー部材が装着されるコンセント本体の端子部との間に介在するように形成されていることを特徴とする情報用コンセント。
【請求項２】
請求項１記載の情報用コンセントにおいて、
前記コンセント本体の端子部は、電線をそれぞれ接続したとき各接続電線の先端部が対称な外周方向に延出する第１端子部および第２端子部からなり、
前記カバー部材の隔壁は、これら第１または第２端子部の少なくとも一方の外周を覆うように形成されていることを特徴とする情報用コンセント。
【請求項３】
電線を接続したとき該電線の先端部が外周方向に延出する構成の端子部を後部に有し、且つ前部にボス部が形成されたコンセント本体の、少なくとも前記ボス部を被覆するとともに、前記コンセント本体との組み合わせにより、取付枠に複数個並べて装着可能な情報用コンセントを構成するカバー部材であって、
前部に前記コンセント本体のボス部を被覆するハウジング部が形成され、このハウジング部の後端縁から後方に延出して前記端子部の外周を覆う隔壁が一体形成されており、
且つ、前記隔壁は、取付枠に隣接して取り付けられる他のコンセント本体の端子部と、当該カバー部材が装着されるコンセント本体の端子部との間に介在するよう形成されていることを特徴とするカバー部材。
【請求項４】
端子部が電線をそれぞれ接続したとき各接続電線の先端部が対称な外周方向に延出する第１端子部および第２端子部からなるコンセント本体との組み合わせにより情報用コンセントを構成する請求項３記載のカバー部材において、
前記隔壁は、前記第１または第２端子部の少なくとも一方の外周を覆うように形成されていることを特徴とするカバー部材。
【発明の詳細な説明】
【０００１】
【発明の属する技術分野】
この発明は、電話やパーソナルコンピュータ等の情報機器と情報回線等とを接続するためのモジュラジャックに代表される情報用コンセントおよび同コンセントに用いられるカバー部材に関する。
【０００２】
【従来の技術】
従来、この種の情報用コンセントとして、例えば、特開平１１−３５４２０３号公報に開示されたシャッター付き電気コネクタが知られている。
この情報用コンセント（シャッター付き電気コネクタ）は、前部本体の後部に電線を接続するための端子部を備えている。この端子部は、後方に延びる複数のスリットを有し、各スリットの内部に接点導体が配設された構成となっている。
電線は、スリットの後端開口部から差し込まれて、スリット内の接点導体に挟持され、該接点導体と電気的に接続される。このとき、電線の先端部分は、スリットから外周方向へ露出した状態となる。
【０００３】
上述した情報用コンセントは、取付枠に装着されて室内の壁面等に施設されるが、近年、情報化技術の発展に伴い、電話回線を含む複数の情報回線を室内に引き込む場合が多くなっている。このように、複数の情報回線を室内に引き込むには、取付枠に情報回線の本数に対応した数の情報用コンセントが並べて装着される。
【０００４】
【発明が解決しようとする課題】
しかしながら、上記構成の情報用コンセントを取付枠に複数並べて装着した場合、端子部（スリット）の外周方向に露出する電線の先端部分が、隣接する他の情報用コンセントの端子部から同様に露出する電線の先端部分と接触して、電気的に短絡したり、また各電線の先端部が干渉しあって取付枠への適正な装着ができないおそれがあった。
さらに、端子部の外周方向へ露出する電線の先端部が長期間にわたり露出したままの状態が続くと、該電線の先端部に塵埃が付着して隣接する他の電線との間で絶縁破壊が生じ、情報回線が短絡してしまう可能性もあった。
【０００５】
【課題を解決するための手段】
本発明はこのような事情に鑑みてなされたものであり、請求項１の発明は、電線を接続したとき該電線の先端部が外周方向に露出する構成の端子部を後部に有し、且つ前部にボス部が形成されたコンセント本体と、コンセント本体の少なくともボス部を被覆するカバー部材と、を備えた情報用コンセントであって、カバー部材に、端子部の外周を覆う隔壁を形成したことを特徴とする。
【０００６】
ここで、カバー部材は、前部に、コンセント本体のボス部を被覆するハウジング部を形成するとともに、このハウジング部の後端縁から後方に延出して隔壁を一体形成した構成とすることができる（請求項２）。
【０００７】
この発明によれば、カバー部材に形成した隔壁によって、端子部に接続した電線の外周を覆うことができるので、例えば、情報用コンセントを取付枠に複数個並べて取り付けたときに、互いに隣接する情報用コンセントの端子部から外周方向に露出する電線の相互干渉や短絡を回避できる。
【０００８】
さらに、この隔壁が電線の外周を覆うことにより、該電線先端部への塵埃の付着が抑制され、電線間の塵埃を介した絶縁破壊を防止することができる。
【０００９】
ここで、取付枠に複数個並べて装着可能に形成された情報用コンセントにあっては、カバー部材の隔壁は、取付枠に隣接して取り付けられる他のコンセント本体の端子部と、当該カバー部材が装着されるコンセント本体の端子部との間に介在するように形成すればよい（請求項３）。
【００１０】
例えば、コンセント本体の端子部が、電線をそれぞれ接続したとき各接続電線の先端部が対称な外周方向に延出する第１端子部および第２端子部からなる場合には、これら第１または第２端子部の少なくとも一方の外周を覆うようにカバー部材の隔壁を形成すればよい（請求項４）。
【００１１】
また、請求項５乃至８の発明は、情報用コンセントの構成部品であるカバー部材に係る発明であって、次の構成を備えたことを特徴とする。
すなわち、請求項５の発明は、電線を接続したとき該電線の先端部が外周方向に露出する構成の端子部を後部に有し、且つ前部にボス部が形成されたコンセント本体の、少なくともボス部を被覆するカバー部材であって、端子部の外周を覆う隔壁を備えたことを特徴とする。
【００１２】
また、請求項６の発明は、前部にコンセント本体のボス部を被覆するハウジング部が形成され、このハウジング部の後端縁から後方に延出して隔壁が一体形成されていることを特徴とする。
【００１３】
請求項７の発明は、コンセント本体との組み合わせにより、取付枠に複数個並べて装着可能な情報用コンセントを構成するカバー部材において、隔壁は、取付枠に隣接して取り付けられる他のコンセント本体の端子部と、当該カバー部材が装着されるコンセント本体の端子部との間に介在するよう形成されていることを特徴とする。
【００１４】
請求項８の発明は、端子部が電線をそれぞれ接続したとき各接続電線の先端部が対称な外周方向に延出する第１端子部および第２端子部からなるコンセント本体との組み合わせにより情報用コンセントを構成するカバー部材において、隔壁は、第１または第２端子部の少なくとも一方の外周を覆うように形成されていることを特徴とする。
【００１５】
【発明の実施の形態】
以下、この発明の実施の形態について図面を参照して詳細に説明する。
図１はこの発明の実施形態に係る情報用コンセントの構成を示す分解斜視図、図２は同情報コンセントの三面図であって、（ａ）は平面図、（ｂ）は正面図、（ｃ）は右側面図である。
【００１６】
情報用コンセント１は、電話回線等の接続に用いられるモジュラージャックであって、コンセント本体１０、接続キャップ２０およびカバー部材３０を備えている。
コンセント本体１０には、図１および図２に示すように、その前部にボス部１１が形成してある。このボス部１１には、前面に開口するプラグ接続孔１２が設けてあり、図示しないモジュラープラグがこのプラグ接続孔１２に差し込み可能となっている。プラグ接続孔１２の内部には、複数（本実施形態では８個）の接点１３が並べて配設してあり、これら接点１３が、プラグ接続孔１２に差し込まれたモジュラープラグの接触子と電気的に接続される。
【００１７】
また、ボス部１１の背面側には、その上端縁から後方に延出する第１端子部１４と、下端縁から後方に延出する第２端子部１５とが設けてある。各端子部１４，１５には、電線１００が差し込まれる複数（本実施形態では４本）の接続スリット１６が幅方向に並べて形成してある。これらの接続スリット１６は、ボス部１１の背面側から後方に延び、各端子部１４，１５の後端に開口している。電線１００は、この後端の開口から接続スリット１６に差し込まれる。
【００１８】
また、接続スリット１６の内部には、接点１３と電気的に導通する端子板（図示せず）が配設してある。接続スリット１６に差し込まれた電線１００は、この端子板に接触する。なお、端子板は、鋭利なエッジを有し、接続スリット１６内に差し込まれた電線１００の外部絶縁体（例えば、ビニール皮膜）を切り裂いて、導体部分を露出させる機能を有している。この種の構成を備えた端子部は、既に公知となっている（例えば、特開平１１−３５４２０３号公報参照）。
【００１９】
各端子部１４，１５への電線１００の差込み動作について、更に具体的に説明すると、電線１００は、図１に示すように、接続スリット１６に差し込む部分を折り曲げておき、接続スリット１６に対し交差させるようにして後端の開口から差し込まれる。この姿勢で差し込まれた電線１００は、図３に示すように、先端部が接続スリット１６の外周側（本実施形態では、上方側および下方側）に延出する。
【００２０】
このような電線１００の差込み作業は、専用の接続キャップ２０を用いて容易に行うことができる。接続キャップ２０には、キャップ本体２１から接続スリット１６に対応する数の押え板２２が突出しており、これら押え板２２によって複数本の電線１００をまとめて各接続スリット１６に押し込み可能となっている（図４参照）。ここで、図には示されていないが、キャップ本体２１には、一側縁から中央部に向かって切欠きが形成してあり、この切欠きを通して電線１００の母線１０１を後方に導き出すことができる。この接続キャップ２０は、電線１００を接続スリット１６に差し込んだ後、そのまま接続スリット１６に嵌め込んでおくことで、接続スリット１６内への塵埃等の侵入を防止する防塵手段として機能する。なお、接続キャップ２０を用いて接続スリット１６に差し込まれた各電線１００は、外周側に延出する先端部分を切断しておくことが好ましい。
【００２１】
コンセント本体１０の上面には、後述するようにカバー部材３０に形成された係合孔３１ａに係合する係合爪１０ａが形成してある。
【００２２】
図５はカバー部材の構成を示す三面図であって、（ａ）は平面図、（ｂ）は正面図、（ｃ）は右側面図である。また、図６はコンセント本体１０にカバー部材を外嵌した状態を示す斜視図である。
カバー部材３０は、ハウジング部３１と、隔壁３２，３３とを備えている。このうち、ハウジング部３１は背面が開口した筺形に形成されており、コンセント本体１０のボス部１１に前方から外嵌されてボス部１１を被覆する（図６参照）。このハウジング部３１の上面には、係合孔３１ａが形成してあり、既述したようにこの係合孔３１ａがコンセント本体１０の上面に形成された係止爪１０ａと係合して、カバー部材３０の装着状態が保持される。また、ハウジング部３１の前面には、プラグ差込窓３４が開口してあり、このプラグ差込窓３４を透してモジュラープラグがコンセント本体１０のプラグ接続孔１２に差し込まれる。
【００２３】
隔壁３２，３３は、ハウジング部３１の後部上端縁および後部下端縁から後方に延出して形成してある。これら隔壁３２，３３は、図７に示すように、コンセント本体１０へ装着したとき、それぞれコンセント本体１０の各端子部１４，１５の外周を覆う位置に配置される。
【００２４】
したがって、各端子部１４，１５の接続スリット１６から外周方向に露出する電線１００の先端部は、これら隔壁３２，３３によりその外周を覆われた状態となるので、情報用コンセント１を取付枠に複数個並べて取り付けた場合であっても、互いに隣接する情報用コンセント１の端子部１４または１５から露出する電線１００の相互間に隔壁３２，３３が介在して、該電線１００の相互干渉や短絡を回避できる。
【００２５】
さらに、隔壁１４，１５が電線１００の外周を覆うことにより、該電線先端部への塵埃の付着が抑制され、端子部１４，１５に接続された各電線１００の間の塵埃を介した絶縁破壊を防止することができる。
【００２６】
なお、上述した実施の形態にあっては、ハウジング部３１の後部上端縁および後部下端縁からそれぞれ隔壁３２，３３を延出させたが、このうちいずれか一方の隔壁３２または３３のみを有する構成としてもよい。このように構成しても、図８に示すように、情報用コンセント１を取付枠に複数個並べて取り付けたとき、互いに隣接する情報用コンセント１の端子部１４または１５から露出する電線１００の相互間に隔壁３２が介在するので、該電線１００の相互干渉や短絡を回避することが可能となる。
【００２７】
また、端子部がコンセント本体１０の上下端縁からではなく、側端縁から後方に延出する場合には、この端子部に対応して、カバー部材３０の隔壁を後部側端縁から延出させればよい。すなわち、カバー部材３０の隔壁は、取付枠に隣接して取り付けられる他のコンセント本体の端子部と、当該カバー部材が装着されるコンセント本体の端子部との間に介在するように形成すればよい。
【００２８】
【発明の効果】
以上説明したように、本発明によれば、カバー部材に形成した隔壁によって、端子部に接続した電線の外周を覆うことができるので、例えば、情報用コンセントを取付枠に複数個並べて取り付けたときに、互いに隣接する情報用コンセントの端子部から外周方向に露出する電線の相互干渉や短絡を回避できる。
【００２９】
さらに、この隔壁が電線の外周を覆うことにより、該電線先端部への塵埃の付着が抑制され、電線間の塵埃を介した絶縁破壊を防止することができる。
【図面の簡単な説明】
【図１】この発明の実施形態に係る情報用コンセントの構成を示す分解斜視図である。
【図２】同情報用コンセントのコンセント本体の構成を示す図で、（ａ）は平面図、（ｂ）は正面図、（ｃ）は右側面図である。
【図３】コンセント本体の端子部へ電線を接続した状態を示す斜視図である。
【図４】接続キャップを用いてコンセント本体の端子部へ電線を接続した状態を示す斜視図である。
【図５】カバー部材の構成を示す図で、（ａ）は平面図、（ｂ）は正面図、（ｃ）は右側面図である。
【図６】コンセント本体にカバー部材を装着した状態を示す斜視図である。
【図７】同じく右側面図である。
【図８】本発明の変形例を示す右側面図である。
【符号の説明】
１：情報用コンセント
１０：コンセント本体
１１：ボス部
１２：プラグ接続孔
１３：接点
１４：第１端子部
１５：第２端子部
１６：接続スリット
２０：接続キャップ
２１：キャップ本体
２２：押え板
３０：カバー部材
３１：ハウジング部
３２：隔壁（上面側）
３３：隔壁（下面側）
３４：プラグ差込窓
４０：取付枠
１００：電線
１３０：隔壁
【図１】
0004575606.tif 000002
【図２】
0004575606.tif 000003
【図３】
0004575606.tif 000004
【図４】
0004575606.tif 000005
【図５】
0004575606.tif 000006
【図６】
0004575606.tif 000007
【図７】
0004575606.tif 000008
【図８】
0004575606.tif 000009